(57)【要約】  ユーザから送信された情報を受信情報として記憶する第１記憶手段（３０）と、共用車両を貸出及び返却することができる複数のステーションの情報を記憶するとともに、ユーザによる共用車両の利用実績の情報を記憶する第２記憶手段（３０）と、ユーザが共用車両の貸出を希望するステーションとして設定した貸出ステーションの情報を含む共用車両の利用予約をユーザから受け付けて、第１記憶手段（３０）に記憶させる受付管理手段（１０）と、ユーザにより設定された貸出ステーションが現在利用可能ではないと判定された場合には、当該ユーザに対して、当該ユーザにより設定された貸出ステーションを含む所定のステーションにおける、共用車両の存在有無の情報を含む貸出可否情報を通知する通知手段（１０）と、を備える共用車両管理装置（１００）を提供する。
2016075807.tif 000002
【特許請求の範囲】
【請求項１】
複数のユーザに共用される複数の共用車両を管理する共用車両管理装置であって、
前記ユーザから送信された情報を受信情報として記憶する第１記憶手段と、
前記共用車両を貸出及び返却することができる複数のステーションの情報を記憶するとともに、前記ユーザによる前記共用車両の利用実績の情報を記憶する第２記憶手段と、
前記ユーザが前記共用車両の貸出を希望するステーションとして設定した貸出ステーションの情報を含む前記共用車両の利用予約を前記ユーザから受け付けて、前記第１記憶手段に記憶させる受付管理手段と、
前記利用予約においてユーザにより設定された貸出ステーションが、現在利用可能であるか否かを判定する貸出判定手段と、
前記ユーザにより設定された貸出ステーションが現在利用可能ではないと判定された場合には、当該ユーザに対して、当該ユーザにより設定された貸出ステーションを含む所定のステーションにおける、前記共用車両の存在有無の情報を含む貸出可否情報を通知する通知手段と、を備える共用車両管理装置。
【請求項２】
前記共用車両を利用中又は利用しようとするユーザが、前記共用車両を利用後に返却するためのステーションとして設定した帰着ステーションの情報を取得して、前記第１記憶手段に記憶させる帰着管理手段と、
前記第１記憶手段に記憶された情報を参照して、前記所定のステーションについて、いずれかのユーザにより前記帰着ステーションとして設定されているか否かを判定する帰着判定手段と、をさらに備え、
前記貸出可否情報は、他のユーザにより前記帰着ステーションとして設定されているか否かの情報、前記第１記憶手段に記憶された前記受信情報、及び前記第２記憶手段に記憶された前記利用実績に基づく情報のうち少なくとも１つを含む請求項１に記載の共用車両管理装置。
【請求項３】
前記所定のステーションに前記共用車両が存在し、且つ当該共用車両が他のユーザにより利用予約されている場合には、
前記第１記憶手段に記憶された前記受信情報は、当該他のユーザによる利用予約が行われた時刻の情報を含み、
前記第２記憶手段に記憶された前記利用実績に基づく情報は、各ユーザによる当該共用車両が利用予約された時刻から実際に前記共用車両が利用開始されるまでの実績に基づく平均時間の情報、及び各ユーザにより当該共用車両について利用予約された後で、当該利用予約がキャンセルされた実績に基づくキャンセル率の情報のうち少なくとも１つを含む請求項２に記載の共用車両管理装置。
【請求項４】
前記所定のステーションに前記共用車両が存在せず、且ついずれかのユーザにより当該ステーションが帰着ステーションとして設定されている場合には、
前記第１記憶手段に記憶された前記受信情報は、当該帰着ステーションを設定したユーザによる利用予約の時刻の情報、及び当該帰着ステーションを設定したユーザが前記共用車両を利用開始した時刻の情報のうち少なくとも１つを含み、
前記第２記憶手段に記憶された前記利用実績に基づく情報は、各ユーザによる前記共用車両の利用予約の時刻を起点として、前記共用車両が返却されるまでの実績に基づく平均利用時間及び／又は最大利用時間の情報、並びに各ユーザによる前記共用車両の利用開始時刻を起点として、前記共用車両が返却されるまでの実績に基づく平均利用時間及び／又は最大利用時間の情報のうち少なくとも１つを含む請求項２に記載の共用車両管理装置。
【請求項５】
前記ユーザの現在位置の情報を取得する位置取得手段をさらに備え、
前記通知手段は、前記利用予約を受け付けたユーザに対して、当該ユーザの現在位置から所定距離以内に存在するステーションについての前記貸出可否情報を通知する請求項１〜４の何れか一項に記載の共用車両管理装置。
【請求項６】
前記通知手段は、前記利用予約を受け付けたユーザに対して、当該ユーザの現在位置から最も近い位置に存在するステーションについての前記貸出可否情報を通知する請求項５に記載の共用車両管理装置。
【請求項７】
前記利用予約は、前記ユーザが前記共用車両の貸出を希望する位置として設定した貸出希望位置の情報を含み、
前記通知手段は、前記利用予約を受け付けたユーザに対して、当該ユーザが設定した前記貸出希望位置から所定距離以内に存在するステーションについての前記貸出可否情報を通知する請求項１〜６の何れか一項に記載の共用車両管理装置。
【請求項８】
前記通知手段は、前記利用予約を受け付けたユーザに対して、当該ユーザが設定した前記貸出希望位置から最も近い位置に存在するステーションについての前記貸出可否情報を通知する請求項７に記載の共用車両管理装置。
【請求項９】
複数のユーザに共用される複数の共用車両を管理する共用車両管理装置であって、
前記ユーザから送信された情報を受信情報として記憶する第１記憶手段と、
前記共用車両を貸出及び返却することができる複数のステーションの情報を記憶するとともに、前記ユーザによる前記共用車両の利用実績の情報を記憶する第２記憶手段と、
前記ユーザが前記共用車両の貸出を希望するステーションとして設定した貸出ステーションの情報を含む前記共用車両の利用予約を前記ユーザから受け付けて、前記第１記憶手段に記憶させる受付管理手段と、
前記共用車両を利用中又は利用しようとするユーザが、前記共用車両を利用後に返却するためのステーションとして設定した帰着ステーションの情報を取得して、前記第１記憶手段に記憶させる帰着管理手段と、
前記利用予約においてユーザにより設定された帰着ステーションが、現在利用可能であるか否かを判定する帰着判定手段と、
前記ユーザにより設定された帰着ステーションが現在利用可能ではないと判定された場合には、当該ユーザに対して、当該ユーザにより設定された帰着ステーションを含む所定のステーションにおける、前記共用車両を返却可能なスペースの存在有無の情報を含む返却可否情報を通知する通知手段と、を備える共用車両管理装置。
【請求項１０】
前記第１記憶手段に記憶された情報を参照して、前記所定のステーションについて、いずれかのユーザにより前記貸出ステーションとして設定されているか否かを判定する貸出判定手段をさらに備え、
前記返却可否情報は、他のユーザにより前記貸出ステーションとして設定されているか否かの情報、前記第１記憶手段に記憶された前記受信情報、及び前記第２記憶手段に記憶された前記利用実績に基づく情報のうち少なくとも１つを含む請求項９に記載の共用車両管理装置。
【請求項１１】
前記所定のステーションに前記共用車両が存在し、且つ当該ステーションを貸出ステーションとして設定する利用予約が他のユーザによりなされている場合には、
前記第１記憶手段に記憶された前記受信情報は、当該利用予約が行われた時刻の情報を含み、
前記第２記憶手段に記憶された前記利用実績に基づく情報は、各ユーザによる当該共用車両が利用予約された時刻から実際に前記共用車両が利用開始されるまでの実績に基づく平均時間の情報、及び各ユーザにより当該共用車両について利用予約された後で、当該利用予約がキャンセルされた実績に基づくキャンセル率の情報のうち、なくとも１つを含む請求項１０に記載の共用車両管理装置。
【請求項１２】
前記所定のステーションに前記共用車両が存在せず、且ついずれかのユーザにより当該ステーションが帰着ステーションとして設定されている場合には、
前記第１記憶手段に記憶された前記受信情報は、当該帰着ステーションを設定したユーザによる利用予約の時刻の情報、及び当該帰着ステーションを設定したユーザが前記共用車両を利用開始した時刻の情報のうち少なくとも１つを含み、
前記第２記憶手段に記憶された前記利用実績に基づく情報は、各ユーザによる前記共用車両の利用予約の時刻を起点として、前記共用車両が返却されるまでの実績に基づく平均利用時間及び／又は最大利用時間の情報、並びに各ユーザによる前記共用車両の利用開始時刻を起点として、前記共用車両が返却されるまでの実績に基づく平均利用時間及び／又は最大利用時間の情報のうち少なくとも１つを含む請求項１０に記載の共用車両管理装置。
【請求項１３】
前記ユーザの現在位置の情報を取得する位置取得手段をさらに備え、
前記通知手段は、前記帰着ステーションを設定したユーザに対して、当該ユーザの現在位置から所定距離以内に存在するステーションについての前記返却可否情報を通知する請求項９〜１２の何れか一項に記載の共用車両管理装置。
【請求項１４】
前記通知手段は、前記帰着ステーションを設定したユーザに対して、当該ユーザの現在位置から最も近い位置に存在するステーションについての前記返却可否情報を通知する請求項１３に記載の共用車両管理装置。
【請求項１５】
前記利用予約は、前記ユーザが前記共用車両の返却を希望する位置として設定した返却希望位置の情報を含み、
前記通知手段は、前記帰着ステーションを設定したユーザに対して、当該ユーザが設定した前記返却希望位置から所定距離以内に存在するステーションについての前記返却可否情報を通知する請求項９〜１４の何れか一項に記載の共用車両管理装置。
【請求項１６】
前記通知手段は、前記帰着ステーションを設定したユーザに対して、当該ユーザが設定した前記返却希望位置から最も近い位置に存在するステーションについての前記返却可否情報をさらに通知する請求項１５に記載の共用車両管理装置。
【請求項１７】
複数のユーザに共用される複数の共用車両を管理するコンピュータが、
第１記憶媒体に、前記ユーザから送信された情報を記憶させるステップと、
第２記憶媒体に、前記共用車両を貸出及び返却することができる複数のステーションの情報を記憶させるとともに、前記ユーザによる前記共用車両の利用実績の情報を記憶させるステップと、
前記ユーザが前記共用車両の貸出を希望するステーションとして設定した貸出ステーションの情報を含む前記共用車両の利用予約を受け付けて、前記第１記憶媒体に記憶させるステップと、
前記利用予約においてユーザにより設定された貸出ステーションが、現在利用可能であるか否かを判定するステップと、
前記ユーザにより設定された貸出ステーションが現在利用可能ではないと判定された場合には、当該ユーザに対して、当該ユーザにより設定された貸出ステーションを含む所定のステーションにおける、前記共用車両の存在有無の情報を含む貸出可否情報を通知するステップと、を実行する共用車両管理方法。
【請求項１８】
複数のユーザに共用される複数の共用車両を管理するコンピュータが、
第１記憶媒体に、前記ユーザから送信された情報を記憶させるステップと、
第２記憶媒体に、前記共用車両を貸出及び返却することができる複数のステーションの情報を記憶させるとともに、前記ユーザによる前記共用車両の利用実績の情報を記憶させるステップと、
前記ユーザが前記共用車両の貸出を希望するステーションとして設定した貸出ステーションの情報を含む前記共用車両の利用予約を受け付けて、前記第１記憶媒体に記憶させるステップと、
前記共用車両を利用中又は利用しようとするユーザが、前記共用車両を利用後に返却するためのステーションとして設定した帰着ステーションの情報を取得して、前記第１記憶媒体に記憶させるステップと、
前記利用予約においてユーザにより設定された帰着ステーションが、現在利用可能であるか否かを判定するステップと、
前記ユーザにより設定された帰着ステーションが、現在利用可能ではないと判定された場合には、当該ユーザに対して、当該ユーザにより設定された帰着ステーションを含む所定のステーションにおける、前記共用車両を返却可能なスペースの存在有無の情報を含む返却可否情報を通知するステップと、を実行する共用車両管理方法。
【発明の詳細な説明】
【技術分野】
【０００１】
本発明は、複数のユーザによって利用される複数の共用車両を管理する共用車両管理装置及び共用車両管理方法に関する。
【背景技術】
【０００２】
複数のユーザが複数の共用車両を利用するカーシェアリングシステムが知られている。このカーシェアリングシステムでは、共用車両を利用し終えたユーザが、特定のステーションへと共用車両を返却するようになっている（特許文献１）。
【先行技術文献】
【特許文献】
【０００３】
【特許文献１】特開２００２−２１５７３９号公報
【発明の概要】
【発明が解決しようとする課題】
【０００４】
このようなカーシェアリングシステムでは、ユーザが共用車両の利用予約をする際に、ユーザが希望するステーションに貸出可能な共用車両が存在しない場合には、ユーザは、利用予約を行うことができないため、その結果、共用車両の稼働率が低下するという問題がある。【０００５】
本発明が解決しようとする課題は、ユーザが希望するステーションに貸出可能な共用車両が存在しない場合においても、ユーザの利用予約を受付できるようにし、共用車両の稼働率を向上させることである。
【課題を解決するための手段】
【０００６】
本発明は、ユーザにより設定された共用車両の貸出を希望するステーションが現在利用可能ではないと判定された場合には、当該ユーザに対して、当該ステーションを含む所定のステーションにおける共用車両の貸出可否に関する情報を通知することにより、上記課題を解決する。
【発明の効果】
【０００７】
本発明によれば、ユーザに対して、共用車両の貸出を希望するステーションを含む所定のステーションにおける、共用車両の貸出可否に関する情報を通知するため、ユーザが希望するステーションにて共用車両を利用できない場合であっても、ユーザに対して利用希望のステーションや他のステーションにて共用車両を利用するよう提案できるようになる。その結果、ユーザにより共用車両が利用される機会が増加し、共用車両の稼働率が向上する。
【図面の簡単な説明】
【０００８】
【図１Ａ】本発明の実施形態に係る共用車両管理装置を備えた共用車両管理システムにおいて、ユーザが共用車両を利用する方法の一例を示す概要図である。
【図１Ｂ】本発明の実施形態に係る共用車両管理装置を備えた共用車両管理システムの構成図である。
【図２】図１Ｂの共用車両管理システムが管理する共用車両が配置されるステーションを示す図である。
【図３】ユーザに通知する貸出可否情報の例を示す図である。
【図４】ユーザに通知する返却可否情報の例を示す図である。
【図５Ａ】本発明の実施形態に係る共用車両管理装置により、ユーザに貸出可否情報を通知する制御手順の一例を示すフローチャートである。
【図５Ｂ】本発明の実施形態に係る共用車両管理装置により、ユーザに貸出可否情報を通知する制御手順の他の例を示すフローチャートである。
【図６】本発明の実施形態に係る共用車両管理装置により、ユーザに帰着可否情報を通知する制御手順の他の例を示すフローチャートである。
【発明を実施するための形態】
【０００９】
以下、図面に基づいて、本発明の実施形態に係る共用車両管理装置について説明する。本実施形態では、共用車両管理装置を、複数のユーザが複数のステーションに配置された複数の共用車両を共用するカーシェアリングシステムを管理運営する共用車両管理システムに適用した例を用いて説明する。本実施形態のカーシェアリングシステムは、一のステーションから借り出した共用車両を、他のステーションへ返却することが許される、いわゆる乗り捨て型のワンウェイ・カーシェアリングシステムである。なお、各ステーションは、共用車両を駐車させることができ、共用車両の貸出及び返却を行ったり、利用されていない共用車両を待機させたりできる場所であり、カーシェアリングシステムのために予め用意した駐車場などが挙げられる。
【００１０】
ここで、図１Ａは、本実施形態の共用車両管理装置１００を備えた共用車両管理システム１０００において、ユーザが共用車両を利用する方法の一例を示す概要図である。本実施形態の共用車両管理システム１０００においては、ユーザは、ユーザ端末装置４００Ｘを操作することで、共用車両管理装置１００が管理する複数のステーションの中から、共用車両の貸出しを希望するステーション（貸出ステーション）を選択し、選択した貸出ステーションで待機している共用車両の利用予約をする。
【００１１】
たとえば、図１Ａに示す場面において、ユーザＵ２が貸出ステーションとしてステーションＳＴ１を選択した場合には、ステーションＳＴ１で待機している共用車両Ｖ１を利用予約できる。この際には、併せて、任意のステーションを、共用車両を利用後に返却するためのステーション（帰着ステーション）として設定してもよい。あるいは、ユーザＵ２は、共用車両の利用予約をした後、所望のタイミングで、この帰着ステーションを設定してもよい。これにより、ユーザは、予約した共用車両に乗車して共用車両を利用できるようになり、その後、利用した共用車両を、設定した帰着ステーションに返却することで、乗り捨て型のワンウェイ・カーシェアリングシステムを利用できるようになっている。
【００１２】
一方、図１Ａに示す場面において、ユーザＵ２が貸出ステーションとしてステーションＳＴ２を選択した場合には、ステーションＳＴ２には待機している共用車両が存在しないため、共用車両管理装置１００は、ステーションＳＴ２には現在利用可能な共用車両が存在せず、ステーションＳＴ２からは共用車両の貸出を行うことができない旨の情報を、ユーザＵ２のユーザ端末装置４００Ｘに送信する。もしくは、図１Ａに示す場面において、ユーザＵ２が貸出ステーションとしてステーションＳＴ２を選択した場合には、共用車両管理装置１００により、共用車両の貸出の受付ができない状態が維持される。
【００１３】
以上が本実施形態におけるワンウェイ・カーシェアリングシステムの基本構成である。本実施形態では、このようなワンウェイ・カーシェアリングシステムにおいて、ユーザが選択した貸出ステーションが現在利用できない場合には、その貸出ステーションを含む所定のステーションについての共用車両の貸出可否に関する情報を通知する。これにより、本実施形態では、ユーザが希望するステーションにて共用車両を利用できない場合であっても、ユーザに対して貸出希望のステーションを含む所定のステーションにて共用車両を利用するよう提案できるようになる。その結果、ユーザにより共用車両が利用される機会が増加し、共用車両の稼働率が向上する。
【００１４】
図１Ｂは、本実施形態の共用車両管理システム１０００を示す構成図である。図１Ｂに示すように、本実施形態の共用車両管理システム１０００は、共用車両管理装置１００と、複数のユーザに利用される複数の共用車両Ｖ１〜Ｖｎ（以下、共用車両Ｖｎと総称することもある）がそれぞれ備える車載装置２００Ｖ１〜２００Ｖｎ（以下、車載装置２００Ｖｎと総称することもある）と、複数のユーザがそれぞれ所持するユーザ端末装置４００Ｘ〜４００Ｚ（以下、ユーザ端末装置４００Ｘと総称することもある）と、を有する。本実施形態の共用車両管理システム１０００を構成する、車載装置２００Ｖ１〜２００Ｖｎ、ユーザ端末装置４００Ｘ〜４００Ｚの台数は限定されない。
【００１５】
共用車両管理装置１００、車載装置２００Ｖ１〜２００Ｖｎ及びユーザ端末装置４００Ｘ〜４００Ｚは、それぞれ通信装置（２０、２２０、４２０）を備え、インターネット３００などの電気通信回線網を介して相互に情報の授受が可能である。通信経路は有線であっても無線であってもよい。
【００１６】
本実施形態のユーザ端末装置４００Ｘは、本発明の本実施形態に係るユーザ端末装置４００Ｘに適用されるプログラムが格納されたＲＯＭ（Read Only Memory）と、このＲＯＭに格納されたプログラムを実行することで、各機能を実行させる動作回路としてのＣＰＵ（Central Processing Unit）と、アクセス可能な記憶装置として機能するＲＡＭ（Random Access Memory）と、を備えるコンピュータである。本実施形態のユーザ端末装置４００Ｘは、パーソナルコンピュータ、スマートフォン、又はＰＤＡ（Personal Digital Assistant）その他の可搬型の端末装置であってもよい。
【００１７】
本実施形態のユーザ端末装置４００Ｘは、各ユーザによる所望の貸出ステーションの共用車両Ｖｎの利用を求める利用予約などの入力情報を受け付ける入力装置４１０と、共用車両管理装置１００などの外部装置と通信を行う通信装置４２０と、各ユーザに情報を通知するための表示装置４３０と、ユーザによる共用車両Ｖｎの利用の制御処理を実行する制御装置４４０とを備える。
【００１８】
ユーザ端末装置４００Ｘの入力装置４１０としては、たとえば、ユーザの手操作による入力が可能なディスプレイ画面上に配置されるタッチパネル又はジョイスティックや、ユーザの音声による入力が可能なマイクなどの装置を用いることができる。表示装置４３０としては、ディスプレイなどが挙げられ、タッチパネル・ディスプレイを用いる場合には、入力装置４１０と兼用することができる。
【００１９】
本実施形態の制御装置４４０は、ユーザ端末装置４００Ｘに備えられた図示しないＧＰＳ（Global Positioning System）受信機などの位置取得装置を用いて、ユーザ端末装置４００Ｘを操作するユーザの現在位置の情報を取得し、取得した現在位置の情報を、通信装置４２０を介して、共用車両管理装置１００に送信する。
【００２０】
また、制御装置４４０は、各ユーザによる共用車両Ｖｎの利用を求める利用予約などの入力情報を受け付け、通信装置４２０を介して、共用車両管理装置１００に送信する。なお、本実施形態では、共用車両Ｖｎの利用予約としては、ユーザが利用予約を送信してから直ぐに共用車両Ｖｎを利用開始する即時利用や、共用車両Ｖｎを希望の時刻から利用開始する予約利用などを求める予約が挙げられる。
【００２１】
上述した利用予約には、ユーザのＩＤ情報、ユーザの現在位置の情報、ユーザが設定した貸出ステーションの情報、ユーザが利用しようとする共用車両ＶｎのＩＤ情報、ユーザが設定した帰着ステーションの情報などが含まれる。なお、本実施形態のユーザ端末装置４００Ｘは、必要に応じて、共用車両管理装置１００から、各ステーションの情報や、各ステーションにおける利用候補の共用車両Ｖｎの情報などを受信する。本実施形態では、帰着ステーションの設定は、このように利用予約を送信するタイミングで行ってもよいし、共用車両Ｖｎの利用予約を送信した後で、共用車両Ｖｎを利用中の所望のタイミングで行ってもよい。
【００２２】
加えて、本実施形態においては、ユーザ端末装置４００Ｘは、ユーザに対して共用車両Ｖｎの走行経路を案内するためのナビゲーション装置として機能するものであってもよい。この場合には、ユーザ端末装置４００Ｘは、たとえば、予めユーザ端末装置４００Ｘに備えられたＲＯＭなどに地図情報を記憶させておき、表示装置４３０に、地図情報とともに、ユーザが現在利用している共用車両Ｖｎの現在位置と、ユーザが設定した帰着ステーションの位置とを表示し、共用車両Ｖｎの現在位置から帰着ステーションまでの走行経路を案内するように構成することができる。
【００２３】
本実施形態の車載装置２００Ｖｎは、各共用車両Ｖｎの現在位置を検出するＧＰＳ受信機２１０と、共用車両管理装置１００などの外部装置と通信を行う通信装置２２０と、ユーザによる共用車両Ｖｎの利用の制御処理を実行する制御装置２３０とを備える。
この車載装置２００Ｖｎは、ユーザ端末装置４００Ｘの機能を利用した簡易な機構にしてもよい。例えば、ＧＰＳ受信機や通信装置、経路演算および経路誘導装置などがユーザ端末装置４００Ｘに搭載されている場合はその機能を利用し、車載装置２００Ｖｎは、次に示すユーザの認証のみを行うようにしてもよい。
【００２４】
本実施形態においては、制御装置２３０は、車載装置２００Ｖｎに備えらえた認証装置（不図示）を用いて、共用車両Ｖｎに乗車したユーザが、該共用車両Ｖｎの利用予約を行ったユーザと一致するか否かのユーザ認証を行う。たとえば、制御装置２３０は、認証装置として、ＮＦＣ（Near Field Communication）による通信が可能な装置を用いて、ユーザが所有するユーザ端末装置４００Ｘや会員カードなどからユーザのＩＤ情報を読み取り、さらに、通信装置２２０を介して共用車両管理装置１００にアクセスして、共用車両Ｖｎの予約情報を取得し、共用車両Ｖｎに乗車したユーザのユーザ認証を行う。
【００２５】
また、制御装置２３０は、ＧＰＳ受信機２１０を用いて取得した現在位置の情報を、通信装置２２０を介して、共用車両管理装置１００に送信する。
【００２６】
さらに、制御装置２３０は、図示しないディスプレイやスピーカなどを用いて、共用車両管理装置１００から送信された情報などを、ユーザに通知する。本実施形態では、制御装置２３０は、たとえば、共用車両管理装置１００から、各ステーションの情報や、各ステーションにおける利用可能な共用車両Ｖｎの情報などを受信して、ユーザに通知する。
【００２７】
なお、本実施形態においては、車載装置２００Ｖｎは、上述したユーザ端末装置４００Ｘと同様に、共用車両Ｖｎの現在位置から帰着ステーションまでの走行経路を案内するためのナビゲーション装置として機能するものであってもよい。
【００２８】
本実施形態の共用車両管理装置１００は、共用車両管理システム１０００のサーバとして機能し、カーシェアリングシステムを管理運営するための制御処理を実行する制御装置１０と、車載装置２００Ｖｎ及びユーザ端末装置４００Ｘとそれぞれ相互に通信可能な通信装置２０と、通信装置２０により受信した情報、各共用車両Ｖｎの情報、及び各ステーションの情報などを記憶するデータベース３０とを備える。
【００２９】
本実施形態においては、制御装置１０は、各ユーザ端末装置４００Ｘ及び各車載装置２００Ｖｎから、通信装置２０を介して受信した情報を、適宜データベース３０に記憶させる。そして、制御装置１０は、後述する各機能により、通信装置２０が受信した情報、及びデータベース３０に記憶させた情報に基づいて、ユーザによる共用車両Ｖｎの利用及び返却の管理を行う。
【００３０】
たとえば、本実施形態においては、図２に示すように、地図上の所定の利用領域（図２に破線で示す領域）内にて、丸印で示すステーションが複数設けられ、ユーザがステーションＳＴ１で借りた共用車両Ｖｎを利用し、その後共用車両ＶｎをステーションＳＴ２に返却するような場面において、制御装置１０は、ユーザによる共用車両Ｖｎの利用及び返却の管理を行うことができる。なお、図２に示す例では、隣り合うステーション間の距離が等しくなるように、各ステーションが配置されているが、配置の態様はこれに限定されるものではない。
【００３１】
さらに、制御装置１０は、ユーザがユーザ端末装置４００Ｘや車載装置２００Ｖｎを用いて送信した利用予約に基づき、ユーザが設定した貸出ステーションが現在利用可能であるか否かを判定する。具体的には、貸出ステーションとして設定されたステーションに待機している共用車両Ｖｎが存在し、且つその共用車両Ｖｎが他のユーザにより貸出ステーションとして設定されていない場合には、現在利用可能であると判定する。
【００３２】
また、制御装置１０は、ユーザが送信した利用予約に基づき、ユーザが設定した貸出ステーションが現在利用可能ではないと判定した場合には、当該ユーザに対して、同ステーションにおける共用車両Ｖｎの貸出可否に関する貸出可否情報を送信する。貸出可否情報には、同ステーションが帰着ステーションとして予約された共用車両Ｖｎの有無の情報、当該予約があった場合は、その共用車両Ｖｎの貸出時間、利用開始時間、利用実績から予測される同ステーションへの到着予測時間と最長利用時間の情報などが含まれる。同ステーションが帰着ステーションとして予約済でありながら、当該予約を行ったユーザの利用開始前である場合には、制御装置１０は、利用実績から得られる予約キャンセル率（ステーション別、利用者別）などの情報を貸出可否情報として送信してもよい。これら以外にも、制御装置１０は、同ステーションが利用不可となっている原因に関連する情報を貸出可否情報として追加してもよい。さらに、制御装置１０は、ユーザが設定した貸出ステーション以外の他のステーションにおける共用車両Ｖｎの貸出可否に関する情報を、貸出可否情報として送信してもよい。同様に、制御装置１０は、ユーザが帰着ステーションを設定した際に、設定された帰着ステーションが現在利用可能ではないと判定した場合には、当該ユーザに対して、帰着ステーションとして利用希望のステーションを含む所定のステーションにおける共用車両Ｖｎの返却可否に関する帰着可否情報を送信する。これにより、本実施形態では、ユーザが希望するステーションを利用できない場合であっても、ユーザに対して利用希望のステーションを含む所定のステーションを利用するよう提案できるようになる。その結果、ユーザにより共用車両Ｖｎが利用される機会が増加し、カーシェアリングシステムにおける共用車両Ｖｎの稼働率が向上する。
【００３３】
本実施形態の共用車両管理装置１００のデータベース３０は、共用車両情報３１と、ステーション情報３２と、ユーザから受け付けた利用予約３３及び利用実績３４と、地図情報３５とを記憶する。なお、図１Ｂに示す例では、データベース３０を一つだけ設けた例を示したが、本実施形態の共用車両管理装置１００では、データベース３０を複数設け、各データベース３０に、共用車両情報３１、ステーション情報３２、利用予約３３、利用実績３４及び地図情報３５を別々に記憶してもよい。
【００３４】
ここで、共用車両情報３１は、各共用車両Ｖｎの情報であり、ステーション情報３２は、各ステーションの情報である。
【００３５】
また、利用予約３３は、各ユーザがユーザ端末装置４００Ｘや車載装置２００Ｖｎを用いて、共用車両Ｖｎの利用を求めるために入力した入力情報である。利用実績３４は、各ユーザが共用車両Ｖｎの利用を行った実績の情報などを記憶した情報であり、たとえば、各ユーザにより共用車両Ｖｎが利用された際における、共用車両Ｖｎの利用時間の情報などが挙げられる。
【００３６】
本実施形態の共用車両管理装置１００の制御装置１０は、図１Ｂに示すように、カーシェアリングシステムを管理運営する処理を実行するためのプログラムが格納されたＲＯＭ（Read Only Memory）１２と、このＲＯＭ１２に格納されたプログラムを実行することで、共用車両管理装置１００として機能する動作回路としてのＣＰＵ（Central Processing Unit）１１と、アクセス可能な記憶装置として機能するＲＡＭ（Random Access Memory）１３とを備える。
【００３７】
共用車両管理装置１００の制御装置１０は、利用予約受付機能と、利用実績管理機能と、貸出判定機能と、貸出可否情報生成機能と、帰着可否情報生成機能と、通知機能と、返却受付機能とを実現する。本実施形態に係る共用車両管理装置１００の制御装置１０は、上記機能を実現するためのソフトウェアと、上述したハードウェアの協働により各機能を実現するコンピュータである。
【００３８】
以下において、共用車両管理装置１００の制御装置１０が実現する各機能についてそれぞれ説明する。
【００３９】
まず、本実施形態の制御装置１０が実行する利用予約受付機能について説明する。制御装置１０は、利用予約受付機能により、ユーザ端末装置４００Ｘから、共用車両Ｖｎの利用を求める利用予約を取得し、取得した利用予約の情報を、利用予約３３としてデータベース３０に記憶させる。なお、利用予約には、上述したように、ユーザのＩＤ情報、ユーザの現在位置の情報、ユーザが設定した貸出ステーションの情報、ユーザが利用しようとする共用車両ＶｎのＩＤ情報、ユーザが設定した帰着ステーションの情報などが含まれる。
【００４０】
続いて、本実施形態の制御装置１０が実行する利用実績管理機能について説明する。本実施形態では、制御装置１０は、利用実績管理機能により、各ユーザが共用車両Ｖｎを利用した際の利用時間等の情報を、利用実績３４として、データベース３０に記憶させる。なお、利用時間としては、ユーザが共用車両Ｖｎの利用予約を送信した時点から、共用車両Ｖｎが返却されるまでの時間であってもよいし、ユーザが共用車両Ｖｎを利用開始した時点（共用車両Ｖｎに乗車した時点や、共用車両Ｖｎのイグニッションキースイッチや、パワースイッチなどをＯＮにした時点）から、共用車両Ｖｎが返却されるまでの時間であってもよい。そして、本実施形態では、制御装置１０は、データベース３０に記憶させた利用時間の情報に基づいて、各ステーションで貸し出された各共用車両Ｖｎの平均利用時間を算出するとともに、最大利用時間を抽出する。この平均利用時間や最大利用時間は、たとえば、ステーションごとに、共用車両Ｖｎの種類に応じて算出及び抽出される。具体的には、図１ＡのステーションＳＴ１を例に説明すると、共用車両Ｖ１が貸し出される際の平均利用時間や最大利用時間と、共用車両Ｖ１とは別の共用車両Ｖ２が貸し出される際の平均利用時間や最大利用時間とを、それぞれ算出及び抽出する。
【００４１】
また、制御装置１０は、利用実績管理機能により、各ユーザが利用予約を送信してから、実際に共用車両Ｖｎを利用開始するまでの平均時間である利用準備時間の情報を記憶する。本実施形態のカーシェアリングシステムでは、各ユーザは、ユーザ端末装置４００Ｘを用いて利用予約を送信する際には、利用予約を送信した後、設定した貸出ステーションまで徒歩等で移動し、共用車両Ｖｎに乗車して共用車両Ｖｎの利用を開始する。本実施形態では、制御装置１０は、このような利用予約の送信から、実際に共用車両Ｖｎの利用が開始されるまでの時間の情報を各ユーザから受信し、この時間の平均値を利用準備時間としてデータベース３０に記憶させる。
【００４２】
さらに、制御装置１０は、利用実績管理機能により、各ユーザが利用予約を送信した後で、当該利用予約をキャンセルした実績に基づくキャンセル率の情報を記憶する。このキャンセル率は、たとえば、上述した平均利用時間や最大利用時間と同様に、ステーションごとに、共用車両Ｖｎの種類に応じて算してもよい。
【００４３】
続いて、本実施形態の制御装置１０が実行する貸出判定機能について説明する。本実施形態では、制御装置１０は、貸出判定機能により、ユーザが利用予約にて設定した貸出ステーションが現在利用可能であるか否かを判定する。具体的には、制御装置１０は、ユーザが貸出ステーションとして設定したステーションについて、現在待機している共用車両Ｖｎが存在し、且つ他のユーザにより貸出ステーションとして設定されていない場合には、現在利用可能であると判定する。
【００４４】
続いて、本実施形態の制御装置１０が実行する貸出可否情報生成機能について説明する。本実施形態では、制御装置１０は、上述した貸出判定機能によりユーザが設定した貸出ステーションが現在利用可能ではないと判定された場合には、利用希望のステーションを含む所定のステーションにおける共用車両Ｖｎの貸出可否に関する貸出可否情報を生成する。なお、生成された貸出可否情報は、後述する通知機能により、当該ユーザに送信される。
【００４５】
貸出可否情報としては、ユーザの現在位置から所定距離以内に存在するステーションが、貸出ステーションとして現在利用可能であるか否かの情報が挙げられる。たとえば、図３Ａに示すように、ユーザの現在位置から所定距離以内に存在し、ユーザの現在位置から最も近いステーション（図３Ａでは貸出ＳＴ候補の△△ビルとして記載した。）について、位置情報と、現在待機しており利用可能な共用車両Ｖｎが存在するか否かの情報が挙げられる。なお、図３Ａ及び後述する図３Ｂ〜３Ｄは、ユーザが貸出ステーション（貸出ＳＴ）及び帰着ステーション（帰着ＳＴ）のいずれも〇〇ホテルを設定した場面を示し、制御装置１０が、ユーザのユーザ端末装置４００Ｘに貸出可否情報を表示する例を示す図である。
【００４６】
また、貸出可否情報としては、データベース３０に記憶された利用予約３３に基づく、他のユーザから帰着ステーションとして設定されているか否かの情報が挙げられる。この際には、貸出可否情報には、図３Ｂに示すように、他のユーザが共用車両Ｖｎを利用予約した時刻（図３Ｂに示す「受付時刻」）の情報、当該他のユーザが共用車両Ｖｎを利用予約した後、実際に共用車両Ｖｎを利用開始した時刻（図３Ｂに示す「利用開始」）の情報、当該他のユーザが共用車両Ｖｎを返却すると予想される時刻（図３Ｂに示す「帰着予想時刻」）などの情報が含まれていてもよい。なお、図３Ｂでは、他のユーザから帰着ステーションとして設定されていることを、「帰着予約あり」と記載した。また、図３Ｂでは、貸出可否情報として、データベース３０に記憶された利用実績３４に基づき、△△ビルに返却される共用車両Ｖｎの平均利用時間及び最大利用時間の情報もあわせて示した。なお、帰着予想時刻は、たとえば、制御装置１０が、データベース３０に記憶された利用実績３４を参照して、各ユーザによる過去の共用車両Ｖｎの利用実績や、特定のユーザによる過去の共用車両Ｖｎの利用実績に基づいて算出することができる。
【００４７】
あるいは、貸出可否情報としては、ユーザの現在位置から最も近いステーションについて、図３Ｃに示すように、現在は待機している共用車両Ｖｎが存在するものの、その待機している共用車両Ｖｎの利用予約が他のユーザによりなされている旨の情報も挙げられる。この際には、貸出可否情報には、図３Ｃに示すように、当該他のユーザが共用車両Ｖｎを利用予約した時刻（図３Ｃに示す「受付時刻」）の情報が含まれていてもよい。なお、図３Ｃでは、他のユーザから利用予約がなされていることを、「貸出予約あり」と記載した。また、図３Ｃに示す貸出可否情報には、△△ビルにて利用開始される共用車両Ｖｎについて、データベース３０に記憶された利用実績３４に基づく、ユーザが利用予約を送信してから実際に共用車両Ｖｎを利用開始するまでの利用準備時間の情報（図３Ｃに示す「利用準備時間」）も示した。さらに、貸出可否情報には、データベース３０に記憶された利用実績３４に基づき、そのステーションにおいて、各ユーザが利用予約を送信した後で、当該利用予約をキャンセルしたキャンセル率の情報が含まれていてもよい。
【００４８】
なお、上述した例では、ユーザの現在位置から所定距離以内に存在するステーションのうち、ユーザの現在位置から最も近いステーションに関する貸出可否情報を生成する例を示したが、生成する貸出可否情報としては、ユーザの現在位置から所定距離以内に存在する他の任意のステーションや、ユーザが設定した貸出ステーションから所定距離以内に存在する任意のステーションや、ユーザが共用車両Ｖｎの貸出を希望する位置として予め設定した貸出希望位置から所定距離以内に存在する任意のステーションに関する情報であってもよい。
【００４９】
本実施形態では、制御装置１０は、貸出可否情報生成機能により生成した貸出可否情報のすべてを、後述する通知機能によりユーザに通知してもよいが、生成した貸出可否情報のうち、優先度が高い特定の情報のみをユーザに通知してもよい。たとえば、制御装置１０は、あるステーションについて、データベース３０に記憶された利用予約３３に基づく情報（たとえば、現在待機している共用車両Ｖｎが存在しているか否かの情報や、他のユーザにより共用車両Ｖｎが返却される予定があるか否かの情報など）を優先的にユーザに通知するようにし、ユーザが詳細な貸出可否情報を求めた場合には、データベース３０に記憶された利用実績３４に基づく貸出可否情報などを、さらにユーザに通知するようにしてもよい。また、ユーザ端末装置４００Ｘのユーザが、予め貸出可否情報として通知を望む情報を設定しておいてもよい。本実施形態では、たとえば、図３Ｄに示すように、生成した貸出可否情報のうち、△△ビルのステーションについて、現在待機している共用車両Ｖｎが存在しないものの、７〜１０分後に他のユーザにより共用車両Ｖｎが返却される予定がある旨（すなわち、他のユーザが、当該ステーションを帰着ステーションとして設定している旨）の情報のみを、ユーザに通知し、その後、ユーザからの要求に応じて、さらに他の貸出可否情報を通知するようにしてもよい。
【００５０】
続いて、本実施形態の制御装置１０が実行する帰着可否情報生成機能について説明する。本実施形態では、制御装置１０は、共用車両Ｖｎを利用中又は利用しようとするユーザが、共用車両Ｖｎを返却するための帰着ステーションを設定する際に、当該帰着ステーションが現在利用可能ではない場合には、利用希望のステーションを含む所定のステーションにおける共用車両Ｖｎの返却可否に関する返却可否情報を生成する。帰着ステーションが現在利用可能ではない場合としては、たとえば、共用車両Ｖｎが待機していることで、新たに共用車両Ｖｎを駐車可能なスペースが存在しない場合や、共用車両Ｖｎを駐車可能なスペースが存在するものの、当該スペースを帰着ステーションとして設定し、共用車両Ｖｎを返却予定である他のユーザが存在する場合などが挙げられる。なお、生成された帰着可否情報は、後述する通知機能により、当該ユーザに送信される。
【００５１】
帰着可否情報としては、ユーザの現在位置から所定距離以内に存在するステーションが、帰着ステーションとして現在利用可能であるか否かの情報が挙げられる。たとえば、図４Ａに示すように、ユーザの現在位置から所定距離以内に存在し、ユーザの現在位置から最も近いステーション（図４Ａでは帰着ＳＴ候補の××駐車場として記載した。）について、位置情報と、共用車両Ｖｎを返却可能なスペースが存在するか否かの情報が挙げられる。なお、図４Ａ及び後述する図４Ｂ〜４Ｄは、ユーザが貸出ステーション（貸出ＳＴ）として〇〇ホテルを、帰着ステーション（帰着ＳＴ）として□□公園を設定した場面において、制御装置１０が、ユーザのユーザ端末装置４００Ｘに帰着可否情報を表示する例を示す図である。
【００５２】
また、帰着可否情報としては、データベース３０に記憶された利用予約３３に基づく、他のユーザにより当該ステーションが帰着ステーションとして設定されているか否かの情報を生成できる。この際には、帰着可否情報には、図４Ｂに示すように、当該他のユーザが共用車両Ｖｎを利用予約した時刻（図４Ｂに示す「受付時刻」）の情報、当該他のユーザが共用車両Ｖｎを利用予約した後、が実際に共用車両Ｖｎを利用開始した時刻（図４Ｂに示す「利用開始」）の情報、当該他のユーザが共用車両Ｖｎを返却すると予想される時刻（図４Ｂに示す「帰着予想時刻」）などの情報が含まれていてもよい。なお、図４Ｂでは、他のユーザから帰着ステーションとして設定されていることを、「帰着予約あり」と記載した。また、図４Ｂでは、帰着可否情報として、データベース３０に記憶された利用実績３４に基づき、××駐車場に返却される共用車両Ｖｎの平均利用時間及び最大利用時間の情報もあわせて示した。
【００５３】
あるいは、帰着可否情報としては、ユーザの現在位置から最も近いステーションについて、図４Ｃに示すように、現在は待機している共用車両Ｖｎが存在しており、新たに共用車両Ｖｎを返却できるスペースがないものの、その待機している共用車両Ｖｎの利用予約が他のユーザによりなされている旨の情報も挙げられる。この際には、帰着可否情報には、図４Ｃに示すように、当該他のユーザが共用車両Ｖｎを利用予約した時刻（図４Ｃに示す「受付時刻」）の情報が含まれていてもよい。なお、図４Ｃでは、他のユーザから利用予約がなされていることを、「貸出予約あり」と記載した。また、図４Ｃに示す帰着可否情報には、××駐車場にて利用開始される共用車両Ｖｎについて、データベース３０に記憶された利用実績３４に基づく、ユーザが利用予約を送信してから実際に共用車両Ｖｎを利用開始するまでの利用準備時間の情報（図４Ｃに示す「利用準備時間」）も示した。さらに、帰着可否情報には、データベース３０に記憶された利用実績３４に基づき、そのステーションにおいて、各ユーザが利用予約を送信した後で、当該利用予約をキャンセルしたキャンセル率の情報が含まれていてもよい。
【００５４】
なお、上述した例では、ユーザの現在位置から所定距離以内に存在するステーションのうち、ユーザの現在位置から最も近いステーションに関する帰着可否情報を生成する例を示したが、生成する帰着可否情報としては、ユーザの現在位置から所定距離以内に存在する他の任意のステーションや、ユーザが設定した帰着ステーションから所定距離以内に存在する任意のステーションや、ユーザが共用車両Ｖｎの返却を希望する位置として予め設定した返却希望位置から所定距離以内に存在する任意のステーションに関する情報であってもよい。
【００５５】
本実施形態では、制御装置１０は、帰着可否情報生成機能により生成した帰着可否情報のすべてを、後述する通知機能によりユーザに通知してもよいが、生成した帰着可否情報について、上述した貸出可否情報と同様に、特定の情報のみをユーザに通知してもよい。この際において、ユーザが詳細な帰着可否情報を求めた場合には、さらに他の帰着可否情報をユーザに通知するようにしてもよい。
【００５６】
続いて、本実施形態の制御装置１０が実行する通知機能について説明する。制御装置１０は、通知機能により、各車載装置２００Ｖｎ及び各ユーザ端末装置４００Ｘと通信して、ユーザに対して、共用車両Ｖｎの利用予約を受け付けた旨の情報などを通知する。また、制御装置１０は、上述した貸出可否情報生成機能により生成した貸出可否情報、及び上述した帰着可否情報生成機能により生成した帰着可否情報のうち少なくとも一方を、上述した図３Ａ〜３Ｄや図４Ａ〜４Ｄに示す態様で通知する。
【００５７】
続いて、本実施形態の制御装置１０が実行する返却受付機能について説明する。制御装置１０の返却受付機能は、ユーザにより、車載装置２００Ｖｎ又はユーザ端末装置４００Ｘを介して送信される共用車両Ｖｎの返却要求に応じて、共用車両Ｖｎの返却を受け付ける機能である。
【００５８】
たとえば、図１Ａに示すように、共用車両Ｖ２の帰着ステーションがステーションＳＴ２に設定されている場合には、ユーザＵ１が、共用車両Ｖ２をステーションＳＴ２に停車させた後で、車載装置２００Ｖ２を操作して共用車両管理装置１００に返却要求を送信することで、制御装置１０は、共用車両Ｖ２の返却を受け付けることができる。
【００５９】
なお、ユーザが送信する返却要求には、ユーザが利用した共用車両ＶｎのＩＤ情報及び現在位置情報が含まれており、制御装置１０は、受信した返却要求に含まれる共用車両ＶｎのＩＤ情報に基づき、データベース３０に記憶された利用予約３３の中から、該共用車両ＶｎのＩＤ情報に対応する情報を読み出し、該共用車両Ｖｎが、予め設定された帰着ステーションに位置しているか否かを判定し、共用車両Ｖｎが帰着ステーションに位置していると判定された場合には、共用車両Ｖｎが正しく返却されたものとして処理する。
【００６０】
本実施形態においては、以上のようにして、共用車両管理装置１００の制御装置１０が実現する各機能により、カーシェアリングシステムの管理運営が行われる。
【００６１】
本実施形態によれば、共用車両管理装置１００の制御装置１０は、ユーザが設定した貸出ステーションが現在利用可能ではない場合に、設定された貸出ステーションを含む所定のステーションに関する上述した貸出可否情報をユーザに通知する。また、共用車両管理装置１００の制御装置１０は、ユーザが設定した帰着ステーションが現在利用可能ではない場合に、設定された帰着ステーションを含む所定のステーションに関する上述した帰着可否情報をユーザに通知する。これにより、ユーザに対して他のステーションにて共用車両Ｖｎを利用するよう提案できるようになり、その結果、ユーザにより共用車両Ｖｎが利用される機会が増加し、カーシェアリングシステムにおける共用車両Ｖｎの稼働率が向上する。
【００６２】
次いで、本実施形態の動作例を説明する。図５Ａは、本実施形態の共用車両管理装置１００が貸出可否情報をユーザに通知する制御手順を示すフローチャートである。なお、図５Ａに示すフローチャートは、一のユーザが、一の共用車両Ｖｎを利用するために利用予約を送信した場面において、ユーザが設定した貸出ステーションが現在利用可能ではない場合に、共用車両管理装置１００が、上述した貸出可否情報をユーザに通知する制御手順を示すものである。
【００６３】
まず、ステップＳ１０１では、共用車両管理装置１００の制御装置１０は、ユーザのユーザ端末装置４００Ｘから、ユーザの現在位置の情報を取得する。
【００６４】
ステップＳ１０２では、制御装置１０は、ステップＳ１０１で取得したユーザの現在位置から、最も距離が近いステーションを検索し、検索されたステーションの情報をデータベース３０のステーション情報３２から抽出する。
【００６５】
ステップＳ１０３では、制御装置１０は、ステップＳ１０２で抽出したステーションが、貸出ステーションとして現在利用可能であるか否かを判定する。そして、ステップＳ１０３において、抽出したステーションが貸出ステーションとして現在利用可能であると判定された場合には、ステップＳ１０４へ進む。一方、ステップＳ１０３において、抽出したステーションが貸出ステーションとして現在利用可能ではないと判定された場合には、ステップＳ１０６へ進む。
【００６６】
ステップＳ１０３において、抽出したステーションが貸出ステーションとして現在利用可能であると判定された場合には、ステップＳ１０４へ進み、ステップＳ１０４では、制御装置１０は、ユーザから送信された利用予約を受け付ける。そして、ステップＳ１０５では、制御装置１０は、利用予約を受け付けた旨を、通信装置２０により、車載装置２００Ｖｎやユーザ端末装置４００Ｘに送信することでユーザに通知し、本処理を終了する。
【００６７】
一方、ステップＳ１０３において、抽出したステーションが貸出ステーションとして現在利用可能ではないと判定された場合には、ステップＳ１０６へ進み、ステップＳ１０６では、制御装置１０は、ステップＳ１０２で抽出したステーションに、現在駐車している共用車両Ｖｎが存在するか否かを判定する。そして、ステップＳ１０６において、抽出したステーションに現在駐車している共用車両Ｖｎが存在すると判定された場合には、ステップＳ１０７へ進む。一方、ステップＳ１０６において、抽出したステーションに現在駐車している共用車両Ｖｎが存在しないと判定された場合には、ステップＳ１０８へ進む。
【００６８】
ステップＳ１０７では、制御装置１０は、抽出したステーションに駐車されている共用車両Ｖｎについて、データベース３０に記憶された利用予約３３及び利用実績３４を参照し、上述した図３Ｃ，３Ｄに示すように、他のユーザによる利用予約（貸出予約）の有無の情報、及び利用予約のキャンセル率の情報をユーザに通知する。なお、図３Ｃ，３Ｄのようにユーザに情報を通知する際には、上述したように、まず優先度が高い特定の情報のみをユーザに通知するようにし、ユーザが詳細な情報を求めた場合には、それ以外の情報を、さらにユーザに通知するようにしてもよい。たとえば、制御装置１０は、まず、データベース３０に記憶された利用予約３３に基づく情報（図３Ｃに示す利用予約（貸出予約）の有無の情報、受付時刻の情報など）を通知するようにし、その後、ユーザからの要求に応じて、データベース３０に記憶された利用実績３４に基づく情報（図３Ｃに示す利用準備時間の情報、キャンセル率の情報など）を通知するようにしてもよい。
【００６９】
ステップＳ１０８では、制御装置１０は、ステップＳ１０２で抽出したステーションを帰着ステーションとして設定している他のユーザが存在するか否かを判定する。そして、ステップＳ１０８において、抽出したステーションを帰着ステーションとして設定している他のユーザが存在すると判定された場合には、ステップＳ１０９へ進む。一方、ステップＳ１０８において、抽出したステーションを帰着ステーションとして設定している他のユーザが存在しないと判定された場合には、ステップＳ１１１へ進む。
【００７０】
ステップＳ１０８において、抽出したステーションを帰着ステーションとして設定している他のユーザが存在すると判定された場合には、ステップＳ１０９へ進み、ステップＳ１０９では、制御装置１０は、ユーザに対して、抽出したステーションについて、上述した図３Ｂに示すように、他のユーザにより帰着ステーションとして設定されている旨の情報を通知する。この際には、たとえば、制御装置１０は、まず、データベース３０に記憶された利用予約３３に基づく情報（図３Ｂに示す、帰着ステーションの設定（帰着予約）の有無の情報、受付時刻の情報など）を通知するようにし、その後、ユーザからの要求に応じて、データベース３０に記憶された利用実績３４に基づく情報（図３Ｂに示す利用開始の情報、平均利用時間の情報、最大利用時間の情報、帰着予想時刻の情報など）を通知するようにしてもよい。
【００７１】
一方、ステップＳ１０８において、抽出したステーションを帰着ステーションとして設定している他のユーザが存在しないと判定された場合には、ステップＳ１１１へ進み、ステップＳ１１１では、制御装置１０は、ユーザに対して、抽出したステーションについて、他のユーザにより帰着ステーションとして設定されていない旨の情報を通知する。
【００７２】
ステップＳ１１０では、制御装置１０は、ステップＳ１０２で抽出したステーションが貸出ステーションとして利用可能となるまで待つ旨の返信が、ユーザから送信されたか否かを判定する。そして、ステップＳ１１０において、ステーションが利用可能となるまで待つ旨の返信がユーザから送信されたと判定された場合には、上述したステップＳ１０４へ進む。一方、ステップＳ１１０において、ステーションが利用可能となるまで待つ旨の返信がユーザから送信されていないと判定された場合には、ステップＳ１１２へ進み、ステップＳ１１２では、制御装置１０は、ユーザの現在位置から、上述したステップＳ１０２で抽出したステーションの次に近いステーションを検索及び抽出し、上述したステップＳ１０３に戻る。
【００７３】
本実施形態では、以上のようにして、共用車両管理装置１００が、貸出可否情報をユーザに通知する処理が行われる。
【００７４】
なお、本実施形態では、上述した貸出可否情報をユーザに通知する処理は、図５Ｂに示す方法で行ってもよい。図５Ｂは、貸出可否情報をユーザに通知する処理の他の例を示すフローチャートである。以下、図５Ｂを参照して利用予約受付処理の他の例を説明する。なお、図５Ｂに示す動作手順は、図５Ａに示す動作手順と比較して、ステップＳ１０１、Ｓ１０２の手順を、ステップＳ２０１、Ｓ２０２に変更した以外は同じである。このため、図５Ｂには図５Ａと同じステップ符号を付して、その説明に関する記載を本例に援用する。
【００７５】
まず、図５Ｂに示すステップＳ２０１では、制御装置１０は、ユーザが共用車両Ｖｎの貸し出しを希望する位置として設定した貸出希望位置の情報を受信する。
【００７６】
ステップＳ２０２では、制御装置１０は、ステップＳ２０１で取得したユーザの貸出希望位置から、最も距離が近いステーションを検索し、検索されたステーションの情報を抽出する。
【００７７】
続くステップＳ１０３〜Ｓ１１２においては、制御装置１０は、ステップＳ２０２で抽出したステーションについて、上述した図５Ａのフローチャートと同様の手順を行う。
【００７８】
以上のとおり、図５Ｂに示す処理が行われる。
【００７９】
次いで、図６に示すフローチャートを参照して、共用車両Ｖｎを利用中又は利用しようとしているユーザが、ユーザ端末装置４００Ｘを用いて、共用車両Ｖｎを返却するための帰着ステーションを設定する操作を行った場面において、共用車両管理装置１００が、上述した帰着可否情報をユーザに通知する制御手順を示すものである。
【００８０】
まず、図６に示すステップＳ３０１では、制御装置１０は、ユーザが設定した帰着ステーションが現在利用可能であるか否かを判定する。そして、ステップＳ３０１において、設定された帰着ステーションが現在利用可能ではないと判定された場合には、ステップＳ３０２へ進む。一方、ステップＳ３０１において、設定された帰着ステーションが現在利用可能であると判定された場合には、ステップＳ３０４へ進む。
【００８１】
ステップＳ３０２では、制御装置１０は、ユーザが設定した帰着ステーションから最も距離が近いステーションを検索し、検索されたステーションの情報をデータベース３０のステーション情報３２から抽出する。
【００８２】
ステップＳ３０３では、制御装置１０は、ステップＳ３０２で抽出したステーションが、帰着ステーションとして現在利用可能であるか否かを判定する。そして、ステップＳ３０３において、抽出したステーションが帰着ステーションとして現在利用可能であると判定された場合には、ステップＳ３０４へ進む。一方、ステップＳ３０３において、抽出したステーションが帰着ステーションとして現在利用可能ではないと判定された場合には、ステップＳ３０６へ進む。
【００８３】
ステップＳ３０３において、抽出したステーションが帰着ステーションとして現在利用可能であると判定された場合には、ステップＳ３０４へ進み、ステップＳ３０４では、制御装置１０は、ユーザが設定した帰着ステーションを受け付ける。そして、ステップＳ３０５では、制御装置１０は、帰着ステーションを受け付けた旨を、通信装置２０により、車載装置２００Ｖｎやユーザ端末装置４００Ｘに送信することでユーザに通知し、本処理を終了する。
【００８４】
一方、ステップＳ３０３において、抽出したステーションが貸出ステーションとして現在利用可能ではないと判定された場合には、ステップＳ３０６へ進み、ステップＳ３０６では、制御装置１０は、ステップＳ３０２で抽出したステーションに、現在駐車している共用車両Ｖｎが存在するか否かを判定する。そして、ステップＳ３０６において、抽出したステーションに現在駐車している共用車両Ｖｎが存在すると判定された場合には、ステップＳ３０７へ進む。一方、ステップＳ３０６において、抽出したステーションに現在駐車している共用車両Ｖｎが存在しないと判定された場合には、ステップＳ３０９へ進む。
【００８５】
ステップＳ３０６において、抽出したステーションに現在駐車している共用車両Ｖｎが存在すると判定された場合には、ステップＳ３０７へ進み、ステップＳ３０７では、制御装置１０は、抽出したステーションに駐車されている共用車両Ｖｎについて、データベース３０に記憶された利用予約３３及び利用実績３４を参照し、上述した図４Ｃ，４Ｄに示すように、他のユーザによる利用予約（貸出予約）の有無の情報、及び利用予約のキャンセル率の情報をユーザに通知する。なお、図４Ｃ，４Ｄのようにユーザに情報を通知する際には、上述したように、まず優先度が高い特定の情報のみをユーザに通知するようにし、ユーザが詳細な情報を求めた場合には、それ以外の情報を、さらにユーザに通知するようにしてもよい。たとえば、制御装置１０は、まず、データベース３０に記憶された利用予約３３に基づく情報（図４Ｃに示す利用予約（貸出予約）の有無の情報、受付時刻の情報など）を通知するようにし、その後、ユーザからの要求に応じて、データベース３０に記憶された利用実績３４に基づく情報（図４Ｃに示す利用準備時間の情報、キャンセル率の情報など）を通知するようにしてもよい。
【００８６】
ステップＳ３０８では、制御装置１０は、ステップＳ３０２で抽出したステーションが帰着ステーションとして利用可能となるまで待つ旨の返信が、ユーザから送信されたか否かを判定する。そして、ステップＳ３０８において、ステーションが利用可能となるまで待つ旨の返信がユーザから送信されたと判定された場合には、上述したステップＳ３０４へ進む。一方、ステップＳ３０８において、ステーションが利用可能となるまで待つ旨の返信がユーザから送信されていないと判定された場合には、ステップＳ３１２へ進み、ステップＳ３１２では、制御装置１０は、ユーザが設定した帰着ステーションの位置から、上述したステップＳ３０２で抽出したステーションの次に近いステーションを検索及び抽出し、上述したステップＳ３０３に戻る。
【００８７】
一方、ステップＳ３０６において、抽出したステーションに現在駐車している共用車両Ｖｎが存在しないと判定された場合には、ステップＳ３０９へ進み、ステップＳ３０９では、制御装置１０は、ステップＳ３０２で抽出したステーションを帰着ステーションとして設定している他のユーザが存在するか否かを判定する。そして、ステップＳ３０９において、抽出したステーションを帰着ステーションとして設定している他のユーザが存在すると判定された場合には、ステップＳ３１０へ進む。一方、ステップＳ３０９において、抽出したステーションを帰着ステーションとして設定している他のユーザが存在しないと判定された場合には、ステップＳ３１１へ進む。
【００８８】
ステップＳ３０９において、抽出したステーションを帰着ステーションとして設定している他のユーザが存在すると判定された場合には、ステップＳ３１０へ進み、ステップＳ３１０では、制御装置１０は、抽出したステーションについて、上述した図４Ｂに示すように、他のユーザにより帰着ステーションとして設定されている旨の情報をユーザに通知する。この際には、たとえば、制御装置１０は、まず、データベース３０に記憶された利用予約３３に基づく情報（図４Ｂに示す、帰着ステーションの設定（帰着予約）の有無の情報、受付時刻の情報など）を通知するようにし、その後、ユーザからの要求に応じて、データベース３０に記憶された利用実績３４に基づく情報（図４Ｂに示す利用開始の情報、平均利用時間の情報、最大利用時間の情報、帰着予想時刻の情報など）を通知するようにしてもよい。
【００８９】
一方、ステップＳ３０９において、抽出したステーションを帰着ステーションとして設定している他のユーザが存在しないと判定された場合には、ステップＳ３１１へ進み、ステップＳ３１１では、制御装置１０は、ユーザに対して、抽出したステーションについて、他のユーザにより帰着ステーションとして設定されていない旨の情報を通知し、上述したステップＳ３１２へ進む。
【００９０】
本実施形態では、以上のようにして、共用車両管理装置１００が、帰着可否情報をユーザに通知する処理が行われる。
【００９１】
本発明に係る共用車両管理システムの実施形態は、以上のように構成され動作するので、以下の効果を奏する。
【００９２】
[１]本実施形態では、ユーザが設定した貸出ステーションが現在利用可能ではない場合に、設定された貸出ステーションを含む所定のステーションに関する上述した貸出可否情報をユーザに通知する。これにより、ユーザに対して所定のステーションにて共用車両Ｖｎを利用するよう提案できるようになり、その結果、ユーザにより共用車両Ｖｎが利用される機会が増加し、カーシェアリングシステムにおける共用車両Ｖｎの稼働率が向上する。
【００９３】
[２]本実施形態では、貸出可否情報は、上記所定のステーションについて、いずれかのユーザにより帰着ステーションとして設定されているか否かの情報、及び各ユーザによる利用実績の情報を含むため、ユーザは、利用可能性があるステーションの情報を詳細に得ることができるようになり、その結果、カーシェアリングシステムの利便性が向上する。
【００９４】
[３]本実施形態では、上記所定のステーションに共用車両Ｖｎが存在し、且つ当該共用車両Ｖｎが利用予約されている場合には、貸出可否情報は、当該利用予約が行われた時刻の情報、利用予約から実際に共用車両Ｖｎが利用開始されるまでの利用準備時間の情報、及び利用予約のキャンセル率の情報を少なくとも１つ含むため、ユーザは、利用できないステーションの情報を詳細に得ることができるようになり、その結果、カーシェアリングシステムの利便性が向上する。
【００９５】
[４]本実施形態では、上記所定のステーションに共用車両Ｖｎが存在せず、且ついずれかのユーザにより当該ステーションが帰着ステーションとして設定されている場合には、貸出可否情報は、当該帰着ステーションを設定したユーザが利用する共用車両Ｖｎの利用予約の時刻の情報、そのユーザにより当該共用車両Ｖｎが利用開始された時刻の情報、並びに各ユーザによる共用車両Ｖｎの平均利用時間及び／又は最大利用時間の情報を少なくとも１つ含むため、ユーザは、利用可能性があるステーションの情報を詳細に得ることができるようになり、その結果、カーシェアリングシステムの利便性が向上する。
【００９６】
[５]本実施形態では、貸出可否情報を生成する所定のステーションとして、ユーザの現在位置から所定距離以内のステーション（特に、ユーザの現在位置から最も近いステーション）や、ユーザが設定した貸出希望位置から所定距離以内のステーション（特に、貸出希望位置から最も近いステーション）を選択できるため、ユーザにとって徒歩等でアクセスし易く便利なステーションの情報をユーザに提供できるようになり、その結果、カーシェアリングシステムの利便性が向上する。
【００９７】
[６]本実施形態では、ユーザが設定した帰着ステーションが現在利用可能ではない場合に、設定された帰着ステーションを含む所定のステーションに関する上述した帰着可否情報をユーザに通知する。これにより、ユーザに対して所定のステーションにて共用車両Ｖｎを利用するよう提案できるようになり、その結果、ユーザにより共用車両Ｖｎが利用される機会が増加し、カーシェアリングシステムにおける共用車両Ｖｎの稼働率が向上する。
【００９８】
[７]本実施形態では、帰着可否情報は、上記所定のステーションについて、いずれかのユーザにより貸出ステーションとして設定されているか否かの情報、及び各ユーザによる利用実績の情報を含むため、ユーザは、利用可能性があるステーションの情報を詳細に得ることができるようになり、その結果、カーシェアリングシステムの利便性が向上する。
【００９９】
[８]本実施形態では、上記所定のステーションに共用車両Ｖｎが存在し、且つ当該ステーションを貸出ステーションとして設定する利用予約が他のユーザによりなされている場合には、帰着可否情報は、当該利用予約が行われた時刻の情報、利用予約から実際に共用車両Ｖｎが利用開始されるまでの利用準備時間の情報、及び利用予約のキャンセル率の情報を少なくとも１つ含むため、ユーザは、利用可能性があるステーションの情報を詳細に得ることができるようになり、その結果、カーシェアリングシステムの利便性が向上する。
【０１００】
[９]本実施形態では、上記所定のステーションに共用車両Ｖｎが存在せず、且ついずれかのユーザにより当該ステーションが帰着ステーションとして設定されている場合には、帰着可否情報は、当該帰着ステーションを設定したユーザが利用する共用車両Ｖｎの利用予約の時刻の情報、そのユーザにより当該共用車両Ｖｎが利用開始された時刻の情報、並びに各ユーザによる共用車両Ｖｎの平均利用時間及び／又は最大利用時間の情報を少なくとも１つ含むため、ユーザは、利用できないステーションの情報を詳細に得ることができるようになり、その結果、カーシェアリングシステムの利便性が向上する。
【０１０１】
[１０]本実施形態では、帰着可否情報を生成する所定のステーションとして、ユーザの現在位置から所定距離以内のステーション（特に、ユーザの現在位置から最も近いステーション）や、ユーザが設定した返却希望位置から所定距離以内のステーション（特に、返却希望位置から最も近いステーション）を選択できるため、ユーザにとってアクセスし易く便利なステーションの情報をユーザに提供できるようになり、その結果、カーシェアリングシステムの利便性が向上する。
【０１０２】
[１１]本実施形態の共用車両管理方法を実行すると、上述の作用及び効果を奏する。
【０１０３】
以上、本発明の実施形態について説明したが、これらの実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１０４】
なお、上述した実施形態において、共用車両管理装置１００の制御装置１０は本発明の受付管理手段、貸出判定手段、通知手段、帰着管理手段、帰着判定手段、位置取得手段及び貸出判定手段に、共用車両管理装置１００のデータベース３０は本発明の第１記憶手段及び第２記憶手段に、それぞれ相当する。
【符号の説明】
【０１０５】
１０００…共用車両管理システム
１００…共用車両管理装置
１０…制御装置
２０…通信装置
３０…データベース
Ｖ１〜Ｖｎ…共用車両
２００Ｖ１〜２００Ｖｎ…車載装置
３００…インターネット
４００Ｘ〜４００Ｚ…ユーザ端末装置
【図１Ａ】
2016075807.tif 000003
【図１Ｂ】
2016075807.tif 000004
【図２】
2016075807.tif 000005
【図３】
2016075807.tif 000006
【図４】
2016075807.tif 000007
【図５Ａ】
2016075807.tif 000008
【図５Ｂ】
2016075807.tif 000009
【図６】
2016075807.tif 000010
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
複数のユーザに共用される複数の共用車両を管理する共用車両管理装置であって、
前記ユーザから送信された情報を受信情報として記憶する第１記憶手段と、
前記共用車両を貸出及び返却することができる複数のステーションの情報を記憶するとともに、前記ユーザによる前記共用車両の利用実績の情報を記憶する第２記憶手段と、
前記ユーザが前記共用車両の貸出を希望する貸出ステーションの情報及び当該共用車両の返却を希望する帰着ステーションの情報を含み、当該共用車両の貸出時刻及び返却時刻を含まない利用予約を、前記ユーザから受け付け、前記第１記憶手段に記憶させる受付管理手段と、
前記利用予約において一のユーザにより設定された貸出ステーションが、現在利用可能であるか否かを判定する貸出判定手段と、
前記一のユーザにより設定された貸出ステーションが現在利用可能ではないと判定された場合には、現在他の共用車両の利用予約を行っている他のユーザによる共用車両の利用実績を用いて、前記一のユーザの利用予約が受け付けられた後に、当該一のユーザにより設定された貸出ステーションを含む所定のステーションにおいて、前記共用車両の貸出が可能になるか否かを判断し、この判断結果である貸出可否情報を前記一のユーザに通知する通知手段と、を備える共用車両管理装置。
【請求項２】
前記共用車両を利用中又は利用しようとするユーザが、前記共用車両を利用後に返却するためのステーションとして設定した帰着ステーションの情報を取得して、前記第１記憶手段に記憶させる帰着管理手段と、
前記第１記憶手段に記憶された情報を参照して、前記所定のステーションについて、前記他のユーザにより前記帰着ステーションとして設定されているか否かを判定する帰着判定手段と、をさらに備え、
前記貸出可否情報は、前記他のユーザにより前記帰着ステーションとして設定されているか否かの情報、前記第１記憶手段に記憶された前記受信情報、及び前記第２記憶手段に記憶された前記利用実績に基づく情報のうち少なくとも１つを含む請求項１に記載の共用車両管理装置。
【請求項３】
前記所定のステーションに前記共用車両が存在し、且つ当該共用車両が前記他のユーザにより利用予約されている場合には、
前記第１記憶手段に記憶された前記受信情報は、当該他のユーザによる利用予約が行われた時刻の情報を含み、
前記第２記憶手段に記憶された前記利用実績に基づく情報は、各ユーザによる当該共用車両が利用予約された時刻から実際に前記共用車両が利用開始されるまでの実績に基づく平均時間の情報、及び各ユーザにより当該共用車両について利用予約された後で、当該利用予約がキャンセルされた実績に基づくキャンセル率の情報のうち少なくとも１つを含む請求項２に記載の共用車両管理装置。
【請求項４】
前記所定のステーションに前記共用車両が存在せず、且つ前記他のユーザにより当該ステーションが帰着ステーションとして設定されている場合には、
前記第１記憶手段に記憶された前記受信情報は、当該帰着ステーションを設定した前記他のユーザによる利用予約の時刻の情報、及び当該帰着ステーションを設定したユーザが前記共用車両を利用開始した時刻の情報のうち少なくとも１つを含み、
前記第２記憶手段に記憶された前記利用実績に基づく情報は、各ユーザによる前記共用車両の利用予約の時刻を起点として、前記共用車両が返却されるまでの実績に基づく平均利用時間及び／又は最大利用時間の情報、並びに各ユーザによる前記共用車両の利用開始時刻を起点として、前記共用車両が返却されるまでの実績に基づく平均利用時間及び／又は最大利用時間の情報のうち少なくとも１つを含む請求項２に記載の共用車両管理装置。
【請求項５】
前記ユーザの現在位置の情報を取得する位置取得手段をさらに備え、
前記通知手段は、前記利用予約を受け付けた前記一のユーザに対して、当該一のユーザの現在位置から所定距離以内に存在するステーションについての前記貸出可否情報を通知する請求項１〜４の何れか一項に記載の共用車両管理装置。
【請求項６】
前記通知手段は、前記利用予約を受け付けた前記一のユーザに対して、当該一のユーザの現在位置から最も近い位置に存在するステーションについての前記貸出可否情報を通知する請求項５に記載の共用車両管理装置。
【請求項７】
前記利用予約は、前記一のユーザが前記共用車両の貸出を希望する位置として設定した貸出希望位置の情報を含み、
前記通知手段は、前記利用予約を受け付けた前記一のユーザに対して、当該一のユーザが設定した前記貸出希望位置から所定距離以内に存在するステーションについての前記貸出可否情報を通知する請求項１〜６の何れか一項に記載の共用車両管理装置。
【請求項８】
前記通知手段は、前記利用予約を受け付けた前記一のユーザに対して、当該一のユーザが設定した前記貸出希望位置から最も近い位置に存在するステーションについての前記貸出可否情報を通知する請求項７に記載の共用車両管理装置。
【請求項９】
複数のユーザに共用される複数の共用車両を管理する共用車両管理装置であって、
前記ユーザから送信された情報を受信情報として記憶する第１記憶手段と、
前記共用車両を貸出及び返却することができる複数のステーションの情報を記憶するとともに、前記ユーザによる前記共用車両の利用実績の情報を記憶する第２記憶手段と、
前記ユーザが前記共用車両の貸出を希望する貸出ステーションの情報及び当該共用車両の返却を希望する帰着ステーションの情報を含み、当該共用車両の貸出時刻及び返却時刻を含まない利用予約を前記ユーザから受け付け、前記第１記憶手段に記憶させる受付管理手段と、
前記共用車両を利用中又は利用しようとするユーザが、前記共用車両を利用後に返却するためのステーションとして設定した帰着ステーションの情報を取得して、前記第１記憶手段に記憶させる帰着管理手段と、
前記利用予約において一のユーザにより設定された帰着ステーションが、現在利用可能であるか否かを判定する帰着判定手段と、
前記一のユーザにより設定された帰着ステーションが現在利用可能ではないと判定された場合には、現在他の共用車両の利用予約を行っている他のユーザによる共用車両の利用実績を用いて、前記一のユーザの利用予約が受け付けられた後に、当該一のユーザにより設定された帰着ステーションを含む所定のステーションにおいて、前記共用車両の返却が可能になるか否かを判断し、この判断結果である帰着可否情報を前記一のユーザに通知する通知手段と、を備える共用車両管理装置。
【請求項１０】
前記第１記憶手段に記憶された情報を参照して、前記所定のステーションについて、前記他のユーザにより前記貸出ステーションとして設定されているか否かを判定する貸出判定手段をさらに備え、
前記帰着可否情報は、前記他のユーザにより前記貸出ステーションとして設定されているか否かの情報、前記第１記憶手段に記憶された前記受信情報、及び前記第２記憶手段に記憶された前記利用実績に基づく情報のうち少なくとも１つを含む請求項９に記載の共用車両管理装置。
【請求項１１】
前記所定のステーションに前記共用車両が存在し、且つ当該ステーションを貸出ステーションとして設定する利用予約が前記他のユーザによりなされている場合には、
前記第１記憶手段に記憶された前記受信情報は、当該利用予約が行われた時刻の情報を含み、
前記第２記憶手段に記憶された前記利用実績に基づく情報は、各ユーザによる当該共用車両が利用予約された時刻から実際に前記共用車両が利用開始されるまでの実績に基づく平均時間の情報、及び各ユーザにより当該共用車両について利用予約された後で、当該利用予約がキャンセルされた実績に基づくキャンセル率の情報のうち、なくとも１つを含む請求項１０に記載の共用車両管理装置。
【請求項１２】
前記所定のステーションに前記共用車両が存在せず、且つ前記他のユーザにより当該ステーションが帰着ステーションとして設定されている場合には、
前記第１記憶手段に記憶された前記受信情報は、当該帰着ステーションを設定した前記他のユーザによる利用予約の時刻の情報、及び当該帰着ステーションを設定したユーザが前記共用車両を利用開始した時刻の情報のうち少なくとも１つを含み、
前記第２記憶手段に記憶された前記利用実績に基づく情報は、各ユーザによる前記共用車両の利用予約の時刻を起点として、前記共用車両が返却されるまでの実績に基づく平均利用時間及び／又は最大利用時間の情報、並びに各ユーザによる前記共用車両の利用開始時刻を起点として、前記共用車両が返却されるまでの実績に基づく平均利用時間及び／又は最大利用時間の情報のうち少なくとも１つを含む請求項１０に記載の共用車両管理装置。
【請求項１３】
前記ユーザの現在位置の情報を取得する位置取得手段をさらに備え、
前記通知手段は、前記帰着ステーションを設定した前記一のユーザに対して、当該前記一のユーザの現在位置から所定距離以内に存在するステーションについての前記帰着可否情報を通知する請求項９〜１２の何れか一項に記載の共用車両管理装置。
【請求項１４】
前記通知手段は、前記帰着ステーションを設定した前記一のユーザに対して、当該一のユーザの現在位置から最も近い位置に存在するステーションについての前記帰着可否情報を通知する請求項１３に記載の共用車両管理装置。
【請求項１５】
前記利用予約は、前記一のユーザが前記共用車両の返却を希望する位置として設定した返却希望位置の情報を含み、
前記通知手段は、前記帰着ステーションを設定した前記一のユーザに対して、当該一のユーザが設定した前記返却希望位置から所定距離以内に存在するステーションについての前記帰着可否情報を通知する請求項９〜１４の何れか一項に記載の共用車両管理装置。
【請求項１６】
前記通知手段は、前記帰着ステーションを設定した前記一のユーザに対して、当該一のユーザが設定した前記返却希望位置から最も近い位置に存在するステーションについての前記帰着可否情報をさらに通知する請求項１５に記載の共用車両管理装置。
【請求項１７】
複数のユーザに共用される複数の共用車両を管理するコンピュータが、
第１記憶媒体に、前記ユーザから送信された情報を記憶させるステップと、
第２記憶媒体に、前記共用車両を貸出及び返却することができる複数のステーションの情報を記憶させるとともに、前記ユーザによる前記共用車両の利用実績の情報を記憶させるステップと、
前記ユーザが前記共用車両の貸出を希望する貸出ステーションの情報及び当該共用車両の返却を希望する帰着ステーションの情報を含み、当該共用車両の貸出時刻及び返却時刻を含まない利用予約を受け付けて、前記第１記憶媒体に記憶させるステップと、
前記利用予約において一のユーザにより設定された貸出ステーションが、現在利用可能であるか否かを判定するステップと、
前記一のユーザにより設定された貸出ステーションが現在利用可能ではないと判定された場合には、現在他の共用車両の利用予約を行っている他のユーザによる共用車両の利用実績を用いて、前記一のユーザの利用予約が受け付けられた後に、当該一のユーザにより設定された貸出ステーションを含む所定のステーションにおいて、前記共用車両の貸出が可能になるか否かを判断し、この判断結果である貸出可否情報を前記一のユーザに通知するステップと、を実行する共用車両管理方法。
【請求項１８】
複数のユーザに共用される複数の共用車両を管理するコンピュータが、
第１記憶媒体に、前記ユーザから送信された情報を記憶させるステップと、
第２記憶媒体に、前記共用車両を貸出及び返却することができる複数のステーションの情報を記憶させるとともに、前記ユーザによる前記共用車両の利用実績の情報を記憶させるステップと、
前記ユーザが前記共用車両の貸出を希望する貸出ステーションの情報及び当該共用車両の返却を希望する帰着ステーションの情報を含み、当該共用車両の貸出時刻及び返却時刻を含まない利用予約を受け付け、前記第１記憶媒体に記憶させるステップと、
前記共用車両を利用中又は利用しようとするユーザが、前記共用車両を利用後に返却するためのステーションとして設定した帰着ステーションの情報を取得して、前記第１記憶媒体に記憶させるステップと、
前記利用予約において一のユーザにより設定された帰着ステーションが、現在利用可能であるか否かを判定するステップと、
前記一のユーザにより設定された帰着ステーションが、現在利用可能ではないと判定された場合には、現在他の共用車両の利用予約を行っている他のユーザによる共用車両の利用実績を用いて、前記一のユーザの利用予約が受け付けられた後に、当該一のユーザにより設定された帰着ステーションを含む所定のステーションにおいて、前記共用車両の返却が可能になるか否かを判断し、この判断結果である帰着可否情報を前記一のユーザに通知するステップと、を実行する共用車両管理方法。
【手続補正２】
【補正対象書類名】明細書
【補正対象項目名】０００２
【補正方法】変更
【補正の内容】
【０００２】
発明の効果
［０００７］
本発明によれば、ユーザに対して、共用車両の貸出を希望するステーションを含む所定のステーションにおける、共用車両の貸出可否に関する情報を通知するため、ユーザが希望するステーションにて共用車両を利用できない場合であっても、ユーザに対して利用希望のステーションや他のステーションにて共用車両を利用するよう提案できるようになる。その結果、ユーザにより共用車両が利用される機会が増加し、共用車両の稼働率が向上する。
図面の簡単な説明
［０００８］
［図１Ａ］本発明の実施形態に係る共用車両管理装置を備えた共用車両管理システムにおいて、ユーザが共用車両を利用する方法の一例を示す概要図である。
［図１Ｂ］本発明の実施形態に係る共用車両管理装置を備えた共用車両管理システムの構成図である。
［図２］図１Ｂの共用車両管理システムが管理する共用車両が配置されるステーションを示す図である。
［図３］ユーザに通知する貸出可否情報の例を示す図である。
［図４］ユーザに通知する帰着可否情報の例を示す図である。
［図５Ａ］本発明の実施形態に係る共用車両管理装置により、ユーザに貸出可否情報を通知する制御手順の一例を示すフローチャートである。
［図５Ｂ］本発明の実施形態に係る共用車両管理装置により、ユーザに貸出可否情報を通知する制御手順の他の例を示すフローチャートである。
［図６］本発明の実施形態に係る共用車両管理装置により、ユーザに帰着可否情報を通知する制御手順の他の例を示すフローチャートである。
発明を実施するための形態
［０００９］
以下、図面に基づいて、本発明の実施形態に係る共用車両管理装置について説明する。本実施形態では、共用車両管理装置を、複数のユーザが複数のステーションに配置された複数の共用車両を共用するカーシェアリングシステムを管理運営する共用車両管理システムに適用した例を用いて説明する。
【手続補正３】
【補正対象書類名】明細書
【補正対象項目名】００１４
【補正方法】変更
【補正の内容】
【００１４】
出希望位置から所定距離以内に存在する任意のステーションに関する情報であってもよい。
［００４９］
本実施形態では、制御装置１０は、貸出可否情報生成機能により生成した貸出可否情報のすべてを、後述する通知機能によりユーザに通知してもよいが、生成した貸出可否情報のうち、優先度が高い特定の情報のみをユーザに通知してもよい。たとえば、制御装置１０は、あるステーションについて、データベース３０に記憶された利用予約３３に基づく情報（たとえば、現在待機している共用車両Ｖｎが存在しているか否かの情報や、他のユーザにより共用車両Ｖｎが返却される予定があるか否かの情報など）を優先的にユーザに通知するようにし、ユーザが詳細な貸出可否情報を求めた場合には、データベース３０に記憶された利用実績３４に基づく貸出可否情報などを、さらにユーザに通知するようにしてもよい。また、ユーザ端末装置４００Ｘのユーザが、予め貸出可否情報として通知を望む情報を設定しておいてもよい。本実施形態では、たとえば、図３Ｄに示すように、生成した貸出可否情報のうち、△△ビルのステーションについて、現在待機している共用車両Ｖｎが存在しないものの、７〜１０分後に他のユーザにより共用車両Ｖｎが返却される予定がある旨（すなわち、他のユーザが、当該ステーションを帰着ステーションとして設定している旨）の情報のみを、ユーザに通知し、その後、ユーザからの要求に応じて、さらに他の貸出可否情報を通知するようにしてもよい。
［００５０］
続いて、本実施形態の制御装置１０が実行する帰着可否情報生成機能について説明する。本実施形態では、制御装置１０は、共用車両Ｖｎを利用中又は利用しようとするユーザが、共用車両Ｖｎを返却するための帰着ステーションを設定する際に、当該帰着ステーションが現在利用可能ではない場合には、利用希望のステーションを含む所定のステーションにおける共用車両Ｖｎの返却可否に関する帰着可否情報を生成する。帰着ステーションが現在利用可能ではない場合としては、たとえば、共用車両Ｖｎが待機していることで、新たに共用車両Ｖｎを駐車可能なスペースが存在しない場合や、共用車
【国際調査報告】
2016075807.tif 000011
2016075807.tif 000012
2016075807.tif 000013
2016075807.tif 000014